(57)【特許請求の範囲】
【請求項１】
水を加熱する方法であって、
（ａ）‐ハウジングと、
‐前記ハウジング内に含まれるアミノ基含有繊維と、
‐水用の導管と、
‐二酸化炭素を前記ハウジングに送る手段と、
‐熱を前記アミノ基含有繊維に供給する手段と、
を備える加熱ユニットを提供するステップと、
（ｂ）二酸化炭素を前記ハウジングに送るステップと、
（ｃ）水を前記導管に通すステップと、
を含む方法。
【請求項２】
請求項１に記載の方法であって、前記アミノ基含有繊維は、セルロース系繊維である、方法。
【請求項３】
請求項１または２に記載の方法であって、前記繊維に担持されるアミノ化合物は、アルカノールアミンである、方法。
【請求項４】
請求項１〜３のいずれか１項に記載の方法であって、前記導管が前記繊維を通る、方法。
【請求項５】
請求項１〜３のいずれか１項に記載の方法であって、水用の前記導管は、前記繊維を通る１つ以上のヒートチューブと接触している、方法。
【請求項６】
請求項１〜５のいずれか１項に記載の方法であって、前記加熱ユニットは、二酸化炭素を含む容器に接続されている、方法。
【請求項７】
請求項１〜６のいずれか１項に記載の方法であって、熱を前記アミノ基含有繊維に供給する前記手段は、ソーラーパネルを備える、方法。
【請求項８】
請求項１〜７のいずれか１項に記載の方法であって、前記加熱ユニットは、二酸化炭素用の閉ループを備える、方法。
【請求項９】
請求項１〜８のいずれか１項に記載の方法であって、（ｄ）前記アミノ基含有繊維を加熱するステップをさらに含む方法。
【発明の詳細な説明】
【技術分野】
【０００１】
本発明は、水を加熱する加熱ユニットに関する。特に、本発明は、向上した環境プロファイルを有するおよび／または低価格で温水を提供する家庭用加熱ユニットに関する。
【背景技術】
【０００２】
温水の直接使用でもセントラルヒーティングシステムでの使用でも、水の加熱は、多くの国でエネルギー消費の大部分を占める。地球温暖化の公知の問題のために、特にエネルギーが化石燃料から得られる場合に、エネルギー消費を削減するさらに高まる必要がある。
【０００３】
例えば太陽光または風力による、熱エネルギーを提供する多くの化石燃料以外の方法に関連する問題は、しばらく経って使用するためにエネルギーを貯蔵するのが非常に難しいことである。
【０００４】
特にセントラルヒーティングシステムでの使用で水を加熱することは、特に冬場により寒い所で、多くの世帯でかなりの出費である。電気代は、オフピーク時間中に低価格であることがある。しかしながら、これは多くの人が家を暖房することを望む時間でない。熱を貯蔵できる方法は、従って経済的に有利であることが多い。
【発明の概要】
【発明が解決しようとする課題】
【０００５】
本発明は、従来技術の１つ以上の不都合な点を克服する温水を提供するのに使用できる簡単な加熱ユニットを提供しようとする。
【課題を解決するための手段】
【０００６】
本発明の第１態様によると、以下を備える加熱ユニットが提供される：
‐ハウジング；
‐ハウジング内に含まれるアミノ基含有繊維；
‐水用の導管；
‐二酸化炭素をハウジングに送る手段；および
‐熱をアミノ基含有繊維に供給する手段。
【０００７】
本発明の第２態様によると、水を加熱する方法が提供され、その方法は以下を含む：
（ａ）第１態様の加熱ユニットを提供するステップ；
（ｂ）二酸化炭素をハウジングに送るステップ；および
（ｃ）水を導管に通すステップ。
【０００８】
本発明の加熱ユニットは、ハウジングを備える。これは、本質的にアミノ基含有繊維を保持する容器である。ハウジングを作るのに使用される材料の形状、寸法および種類は、変更可能である。ハウジングは、適切に固体気密壁を有する。それは、あらゆる適切な材料で作られてよい。適切な材料は、プラスチック、木、ガラス、セラミック、コンクリートおよび金属を含む。好ましくは、ハウジングはプラスチックで作られている。
【０００９】
適切なプラスチック材料は、当業者に知られており、例えば、エポキシコーティングおよび高密度および低密度ポリエチレンを含む。
【００１０】
適切な金属材料は、ステンレス鋼を含む。
【００１１】
ハウジングは、外面および内面を有する。外面は、適切に耐候性であってよい。内面は、適切に熱を反射してよい。
【００１２】
本発明の加熱ユニットのハウジング内に位置するのは、アミノ基含有繊維である。これによって、アミノ化合物で含浸されたまたはアミノ化合物でコーティングされた繊維材料を意味する。
【００１３】
あらゆる適切な繊維を使用することができ、例えば合成海綿繊維および他の固体繊維状マトリックスである。好ましくは、アミノ基含有繊維は、セルロース系繊維材料である。適切なセルロース系繊維は、天然セルロース系繊維および半合成または加工セルロース系を含む。
【００１４】
繊維は、天然繊維および／または合成繊維および／または半合成繊維を含んでよく、例えば再生セルロース製品である。適切な合成繊維は、ポリアミド、ポリエステルおよびポリアクリル系を含む。好ましくは、材料は、天然繊維を含む。
【００１５】
好ましくは、セルロース系繊維は、天然セルロース系繊維を含む。
【００１６】
この場合に使用される適切な天然セルロース系繊維は、綿、麻、亜麻、ジュート、ケナフ、ラミー、サイザル、カポック、アガベ、ラタン、大豆、つる植物、バナナ、コイア、茎繊維およびその混合を含む。
【００１７】
ある好ましい実施形態では、セルロース系繊維は、農業からの廃棄物または副産物である。そのようなセルロース系繊維は、そうでなければ他の用途ではほとんどあるいは全く価値がない。適切な廃棄物または副産物は、例えば穀類または菜種である、作物の茎、葉、もみ殻または外皮から得られてよい。最も好ましくは、セルロース系繊維は、わらまたは木材パルプ由来である。
【００１８】
ある実施形態では、セルロース系繊維は、精製木材パルプ由来であってよく、例えば登録商標ＴＥＮＳＥＬで販売される材料である。
【００１９】
ある実施形態では、セルロース系繊維は、例えば松パルプである、パルプ工場から直接得られた廃棄物であってよい。
【００２０】
ある実施形態では、セルロース系繊維は、例えば小麦、ライ麦または大麦である、穀草類から得られたわら材料であってよい。
【００２１】
セルロース系繊維は、微細粒子材料として適切に提供される。適切には、繊維は、少なくとも１０ミクロン、好ましくは少なくとも５０ミクロン、より好ましくは少なくとも１００ミクロンの平均粒径を有する。セルロース系繊維は、少なくとも０．２ｍｍ、好ましくは少なくとも０．２ｍｍの平均粒径を有してよい。セルロース系繊維は、１０ｃｍまで、適切には５ｃｍまで、好ましくは１ｃｍまで、より好ましくは０．５ｃｍまでの平均粒径を有してよい。
【００２２】
特に好ましい実施形態では、セルロース系繊維は、０．５〜３ｍｍの平均粒径を有する。
【００２３】
平均粒径は、従来のふるい分け技術によって適切に測定されてよい。
【００２４】
繊維は、アミノ基含有繊維である。これによって、アミノ化合物を含有することを意味する。適切には、アミノ化合物は、繊維の表面に保持される。
【００２５】
アミノ基含有繊維は、あらゆる適切な方法によって製造されてよい。そのような方法は、当業者に知られ、例えば、アミノ化合物を含む液体組成物に繊維を浸す、アミノ化合物を繊維に噴霧する等を含む。
【００２６】
適切には、繊維の表面とアミノ化合物との間に相互作用がある。例えば、これは、単純な静電相互作用、双極子間の相互作用、水素結合、または全共有結合であり得る。理論に束縛されるものではないが、アミノ官能基と繊維の表面との間に水素結合があると考えられている。
【００２７】
アミノ化合物は、例えばアンモニア、脂肪族または芳香族アミン、アミドまたは尿素である、アミノまたは置換アミノ部分を含むあらゆる化合物から選択されてよい。好ましくは、アミノ化合物は、アンモニアまたはアミンから選択される。
【００２８】
ある好ましい実施形態では、アミノ化合物は、アンモニアを含む。これによって、水酸化アンモニア（すなわちアンモニア水組成物から）を含むことを意味する。
【００２９】
適切なアミノ化合物は、天然化合物および合成化合物を含む。２つ以上のアミノ化合物の混合物が、繊維に担持されてよい。
【００３０】
適切なアミンは、芳香族および脂肪族アミンである。これらのアミンは、置換または非置換でもよい。適切なアミンの例は、アミノ酸、アルカノールアミン、アルキルアミンおよびアルケニルアミンを含む。この場合に使用される特に好ましいアミンは、アルキルアミンおよびアルカノールアミンである。
【００３１】
アミノ化合物は、アンモニア、第１級アミン、第２級アミンまたは第３級アミンから選択されてよい。ある好ましいアミンは、第１級アミン、第２級アミン、またはその混合物である。この場合に使用される、ある特に好ましいアミンは、第１級または第２級アルキルアミン、特に、最大１２炭素原子まで、より好ましくは最大４炭素原子までを有するアルキルアミンである。好ましいアミンは、メチルアミン、ジメチルアミン、エチルアミン、ジエチルアミン、プロピルアミン、ジプロピルアミン、ブチルアミン、ジブチルアミンおよびその混合物および異性体を含む。
【００３２】
ある特に好ましいアミノ化合物は、アルカノールアミンである。適切なアルカノールアミンの例は、エタノールアミン、２‐（メチルアミノ）エタノール、ジエタノールアミン、２‐アミノ‐２‐メチル‐１‐プロパノールおよびジイソプロパノールアミンを含む。１つの特に好ましい化合物は、２‐アミノ‐２‐メチル‐１‐プロパノールである。
【００３３】
適切には、アミノ化合物は、式Ｒ１Ｒ２Ｒ３Ｎの化合物であり、Ｒ１，Ｒ２，およびＲ３のそれぞれは、水素、アルキル基および式ＨＯ‐Ｘ（Ｘはアルキレン基を表す）のグループから、独立に選択される。好ましくは、Ｒ１，Ｒ２，およびＲ３のそれぞれは、水素、１〜１０炭素原子を有するアルキル基、および式ＨＯ‐Ｘ（Ｘは１〜１０炭素原子を有するアルキレン基を表す）のグループから、独立に選択される。好ましくは、Ｒ１，Ｒ２，およびＲ３のそれぞれは、水素、１〜４炭素原子を有するアルキル基、および式ＨＯ‐Ｘ（Ｘは１〜４炭素原子を有するアルキレン基を表す）のグループから、独立に選択される。
【００３４】
適切には、アミノ化合物の繊維に対する重量比は、少なくとも０．１：１、好ましくは少なくとも０．５：１、より好ましくは少なくとも１：１である。
【００３５】
適切には、ステップ（ａ）でアミノ化合物の繊維に対する重量比は、最大１００：１まで（アミノ化合物繊維）、好ましくは最大５０：１まで、より好ましくは最大２０：１までであり、例えば最大１５：１までである。
【００３６】
ある特に好ましい実施形態では、繊維は、アミノ化合物１．５〜５、好ましくは２〜３重量部を含む。
【００３７】
本発明の加熱ユニットは、二酸化炭素をハウジングに送る手段を備える。使用に当たって二酸化炭素がハウジングに送られるときに、それは、発熱反応で繊維上のアミンと反応する。
【００３８】
二酸化炭素は、純二酸化炭素として提供されてよい。これは、二酸化炭素ガス、超臨界二酸化炭素または固体二酸化炭素として提供されてよい。好ましい実施形態では、二酸化炭素は気体状態である。
【００３９】
ある実施形態では、二酸化炭素は、例えば窒素または二酸化硫黄である、他の気体成分と混合されてよい。
【００４０】
二酸化炭素をハウジングに送る手段は、適切にはバルブであり、それは、二酸化炭素の流れを制御するように開閉できる。
【００４１】
ある実施形態では、化石燃料の直接燃焼からの二酸化炭素が、ユニットに流れ込むように向けられてよい。
【００４２】
好ましくは、ハウジングへの二酸化炭素の流れは、綿密に制御される。ある好ましい実施形態では、加熱ユニットは、ハウジングに接続された二酸化炭素を貯蔵する容器を備える。
【００４３】
本発明の加熱ユニットは、水用の導管を有する。ある好ましい実施形態では、導管は、アミノ基含有繊維を通る。
【００４４】
導管は、体積に対して大きな表面積比率を提供するように適切に形作られ、それがアミノ基含有繊維に対して大きな表面積を呈するようになっている。繊維が二酸化炭素と接触するときに、発熱反応が生じ、生成された熱が導管の中の水を加熱する。
【００４５】
ハウジングの中に位置する導管の一部は、複数のプレート、フィン、コイル、細管等を備えてよく、繊維との最大接触および従って最大熱交換を確かにする。導管は、水がハウジングを複数回通るようにおよび／または導管がハウジングに入る際に複数の流路に分かれて出るときに再結合できるように、配置することができる。
【００４６】
従って、本発明は、水用の導管が通るアミノ基含有繊維を備えるハウジングを適切に提供する。二酸化炭素がハウジングに入ることができるとき、導管の中の水を暖める発熱反応が生じる。
【００４７】
ある代替実施形態では、水用の導管は、繊維を通らないが、繊維の上部に沿って通る。そのような実施形態では、導管の中の水は、繊維を通る複数のヒートチューブからの熱伝達によって適切に暖められる。
【００４８】
ヒートチューブは、熱伝導性固体から作られる伝熱装置であり、それは液体を含む。ヒートチューブが暖められるとき（この場合繊維との接触を通じて）、液体は、蒸発し、ヒートチューブの上部まで上昇する。ヒートチューブの上部は、水用の導管と適切に接触している。蒸気は、チューブの上部で凝縮し、潜熱が水に提供され、その結果水を暖める。
【００４９】
そのような実施形態では、本発明の加熱ユニットは、１つ以上のヒートチューブと接触する水用の導管を適切に備え、ヒートチューブが繊維を通る。
【００５０】
従って、本発明は、以下を備える加熱ユニットを提供する：
‐ハウジング
‐ハウジング内に含まれるアミノ基含有繊維；
‐水用の導管であって、繊維を通るまたは繊維を通る１つ以上のヒートチューブと接触する、水用の導管；
‐二酸化炭素をハウジングに送る手段；および
‐熱をアミノ基含有繊維に供給する手段。
【００５１】
ヒートチューブは、当業者によく知られている。
【００５２】
二酸化炭素は、希釈剤またはキャリアと共に提供されてよい。好ましくは、それは、希釈剤またはキャリアの添加なしに提供される。微量不純物が存在してよい。
【００５３】
二酸化炭素は、好ましくは、５００〜１５００ｋＰａの圧力で提供されてよい。ある実施形態では、二酸化炭素は、周囲圧力、および好ましくは周囲温度で、送られてよい。好ましい実施形態では、二酸化炭素ガスは、超大気圧である。
【００５４】
セルロース系材料での二酸化炭素の取り込みは、好ましくは少なくとも１％ｏｍｆ、好ましくは少なくとも５％ｏｍｆ、より好ましくは少なくとも１０％ｏｍｆ、例えば少なくとも１５％ｏｍｆ、である。
【００５５】
セルロース系材料での二酸化炭素の取り込みは、最大１００％ｏｍｆまで、適切には最大８０％ｏｍｆまで、好ましくは最大６０％ｏｍｆまで、好ましくは最大４０％ｏｍｆまで、例えば最大３０％ｏｍｆまで、または最大２５％ｏｍｆまで、である。
【００５６】
％ｏｍｆ（％ｏｎ  ｍａｓｓ  ｏｆ  ｆｉｂｒｅ）によって、二酸化炭素を含む化合物と接触する繊維の質量の百分率として二酸化炭素の質量のことを指すことを意味する。
【００５７】
誤解を避けるために、上記の量は、アミノ基含有繊維の重量の増加のことを指す。
【００５８】
二酸化炭素がハウジングに送られるとき、それは、繊維に可逆的に結合するようになる。従って、二酸化炭素は、繊維を加熱することによって、しばらく経って繊維から放出されることができる。しかしながら、アミンは繊維上に適切にとどまり、繊維が再使用される。これは、本発明の加熱ユニットおよび方法の重要な特徴である。
【００５９】
二酸化炭素がハウジングに送られるとき、発熱反応で放出された熱は、導管を通る水を暖めるのに使用される。ハウジングへの二酸化炭素の投与速度および導管を通る水の流速は、確実に水が所望の温度に加熱されるように制御されることができる。これは、ある実施形態では、サーモスタットによって制御されてよい。
【００６０】
二酸化炭素のある量が繊維上のアミノ化合物と反応すると、発熱反応速度は低下し、繊維が最終的に「飽和」して反応が完結するまで、次第に減少する熱が放出される。この時点で、二酸化炭素は、繊維を出てハウジングから出る必要があり、繊維上のアミンを別の発熱反応で再び反応させ、さらに多くの水を暖める。
【００６１】
従って、本発明の加熱ユニットは、熱をアミノ基含有繊維に供給する手段を備える。
【００６２】
ある実施形態では、熱をアミノ基含有繊維に供給する手段は、ソーラーパネルを備えてよい。
【００６３】
ある実施形態では、ソーラーパネルは、カバーが設けられてよく、二酸化炭素が、水を暖めることが望まれるときに、出されないようになっている。
【００６４】
ある実施形態では、繊維に熱を供給する手段は、入口バルブおよび出口ポートを備えてよく、それを通って暖かな空気または他の気体が、繊維を吹き抜けることができる。例えば、従来の化石燃料燃焼ボイラー、火またはオーブンから生成された熱は、繊維を通って導かれることができる。
【００６５】
ある実施形態では、繊維に熱を供給する手段は、電気ホットプレートまたはフィラメントを含んでよい。
【００６６】
ある実施形態では、熱を供給する手段は、さらなる温水ベースヒーター回路を備えてよい。
【００６７】
本発明の加熱ユニットは、不動産物件の既存の水加熱システムと一体化できるように意図されている。本発明の加熱ユニットは、家庭環境で水を暖めるのに特に有用である。典型的に、加熱ユニットは、約０．５〜２ｍ３、適切には約１ｍ３の体積を有する。しかしながら、当然のことながら、より大きなまたは複数のユニットが、病院またはホテルなどのより大きな建物用に提供され得る。システムは、必要に応じて水を暖めるのに使用することができ、繊維が二酸化炭素で「飽和」したとき、温水は、従来の化石燃料を動力源としたボイラーに戻ることができる。そのようなボイラーから生成された余分な熱は、「飽和」繊維から二酸化炭素を出すこと、および本発明の加熱ユニットを再生することに、使用され得る。
【００６８】
ある実施形態では、本発明の加熱ユニットは、「ストレージ」ヒーターとして使用されることができる。二酸化炭素は、エネルギーがより安価であるときのオフピーク時間中に繊維を暖めることによって出されることができ、そしてピーク時間中に必要とされる水を暖めるのに使用されることができる。
【００６９】
特に好ましい実施形態では、加熱ユニットは、通常の使用中に典型的な家庭で必要とされる温水の大部分を提供するのに使用されることができる。好ましくは、二酸化炭素は、例えば風力または太陽エネルギーである再生可能資源によって提供される熱または電気によって繊維から出されることができる。
【００７０】
繊維から出された二酸化炭素は、大気中に放出されてよい。これは、例えば、二酸化炭素が化石燃料の燃焼から直接提供される実施形態で、適切であるかもしれない。
【００７１】
好ましい実施形態では、二酸化炭素は、ハウジングに接続された容器に向け直され、それが再び必要とされるまで貯蔵される。これは、さらなる減圧チャンバおよび／またはポンプを提供することによって、適切に実現されてよい。
【００７２】
従って、好ましい実施形態では、本発明の加熱ユニットは、二酸化炭素用の閉ループを備える。同じ二酸化炭素が、繰り返し繊維と反応することができ、そして次の加熱ステップで出され、それが再び必要とされるまで貯蔵される。
【００７３】
本発明は、再生可能資源またはオフピーク電気からの熱が、しばらく経って発熱反応で熱エネルギーとして放出するために二酸化炭素として効果的に「貯蔵」されることができるようにする。
【００７４】
ハウジングには、反射内面が適切に設けられてよい。これは、熱が水の加熱中または二酸化炭素の除去中に失われないことを適切に確実にするためである。
【００７５】
導管は、繊維を直接通ることによってまたはヒートチューブを介して暖められる水用の流路を提供する。この水は、そして家庭供給の温水システムに適切に向けられ、洗浄等用の温水として使用することができるまたはセントラルヒーティングシステムで使用することができる。
【００７６】
ある実施形態では、加熱ユニットは、複数の個別チャンバに分けられてよく、複数の個別チャンバは、それぞれ個別の導管および／またはヒートチューブを有する。二酸化炭素は、発熱反応を引き起こす１つのチャンバに向けられることができ、水は、そのチャンバの導管を通ることができる。余分な熱は、すでに使用された隣り合うチャンバから二酸化炭素を出すのに使用されてよい。温水が次に必要とされるとき、二酸化炭素は、異なるチャンバに向けられることができる。当然のことながら、ある程度の追加の熱もある箇所で供給される必要があり、例えばソーラーパネルを通じてであるが、１つのチャンバからの余分な熱が、隣り合うチャンバを「再生」するのに役立つことができる。
【００７７】
本発明は、本発明の好ましい非限定的実施形態を説明する添付図面を参照してこれからさらに記載される。
【図面の簡単な説明】
【００７８】
【図１】本発明の加熱ユニットを示す。
【図２】本発明のさらなる加熱ユニットの平面図を示す。
【発明を実施するための形態】
【００７９】
本発明の加熱ユニットは、図１に示されている。ユニットには、アウターハウジング１が設けられている。これは、例えば、ポリエチレンから作られてよい。内面２は、好ましくは、ステンレス鋼などの熱反射材料から作られる。外面３は、好ましくは、耐候性であり、ポリエチレンから作られてよい。
【００８０】
ハウジング内に位置するのは、アミノ化合物でコーティングされた繊維４である。グリッド５は、繊維がバルブ７へと管６に入るのを防ぐ。これは、二酸化炭素のシリンダー１３に接続された二方弁である。
【００８１】
ハウジングを通っているのは導管８であり、導管８は、繊維を通って複数回曲がり、繊維に対して大きな表面積を呈する。繊維は、導管の屈曲部分の周囲に充填される。水は、入口９でハウジングに入って出口１０を通って出る。水は、加熱ユニットが一体化される家庭供給の水加熱システムから適切に供給されてそこに戻される。
【００８２】
ユニットには、ソーラーパネル１１が設けられている。スクリーン１２は、所望するときにソーラーパネルからの熱が繊維に向けられることができるように、必要なときにリモートで開閉できる。
【００８３】
出された二酸化炭素は、バルブ７を通って適切に戻り、流路１５を介してチャンバ１４に向けられる。そこから、それは開口１６を介してシリンダー１３に向け直されることができる。
【００８４】
図２は、本発明のさらなる加熱ユニットの平面図を示す。ハウジング２１は、４つのサブチャンバ２２に分けられ、そのそれぞれはアミノ基含有繊維（図示せず）が含まれている。内部隔壁２３は、熱反射性でなく、気体不透過性である。外壁２４の内側面は、熱反射性である。
【００８５】
単一源２５からの二酸化炭素は、複数の流路２６を介してチャンバのいずれかにバルブ２７を介して向けられることができる。水は、水供給に接続された単一源２８から入り、単一出口３０につながる複数の導管２９を介してチャンバのいずれかを選択的に通ることができる。ソーラーパネル３１は、必要に応じて異なるチャンバを横切って移動できる。
【図１】
0006681908.tif 000002
【図２】
0006681908.tif 000003